【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
情報記憶媒体が計測データを保持する第１種類であるか、計測データを保持しない第２種類であるかを、前記情報記憶媒体が情報処理装置の読取部にかざれることにより前記情報記憶媒体から読み取られた情報に基づき特定する特定手段と、
前記第１種類の前記情報記憶媒体と前記第２種類の情報記憶媒体が前記読取部にかざされた後に前記第１種類の前記情報記憶媒体と前記第２種類の情報記憶媒体の各々に対応した異なるメニュー画面を表示手段に表示する表示制御手段と、
を有することを特徴とする情報処理装置。
【請求項２】
前記異なるメニュー画面は、少なくとも前記計測データを画像処理装置に送信機能を含むメニュー画面と含まない画面であって、
前記第１種類の前記情報記憶媒体である場合は、少なくとも前記計測データを画像処理装置に送信機能を含むメニュー画面を表示手段に表示し、
前記第２種類の情報記憶媒体である場合は、前記送信機能を含まないメニュー画面を表示すること
を特徴とする請求項１に記載の情報処理装置。
【請求項３】
さらに、前記情報記憶媒体は、前記情報処理装置にログインするためのログイン情報を記憶しており、前記第１種類と第２種類の前記情報記憶媒体のいずれかから当該ログイン情報を取得することで、前記情報処理装置にログインさせるよう制御するログイン制御手段と、
を有することを特徴とする請求項１乃至２のいずれか１項に記載の情報処理装置
【請求項４】
前記表示制御手段は、前記第１種類の前記情報記憶媒体と前記第２種類の情報記憶媒体が前記読取部にかざされた後に前記情報処理装置で実行可能な機能を、前記ログイン制御手段によって前記情報処理装置にログイン後に実行可能であることを表示する
ことを特徴とする請求項３に記載の情報処理装置。
【請求項５】
前記表示制御手段は前記機能が実行不可能であることを表示するよう制御すること
を特徴とする請求項３乃至４のいずれか１項に記載の情報処理装置。
【請求項６】
さらに、前記第１種類の前記情報記憶媒体と前記第２種類の情報記憶媒体が前記読取部にかざされた後に
前記情報処理装置で実行可能な機能を、前記ログイン制御手段によって前記情報処理装置にログイン後に実行可能に制御する制御手段と、を有し、
前記制御手段は、前記ログインで用いられた情報記憶媒体の種類が前記第１種類である場合には、前記前記データを取得して外部サーバに送信する機能を実行するよう制御すること
を特徴とする請求項４乃至５のいずれか１項に記載の情報処理装置。
【請求項７】
前記制御手段は、前記第１種類の情報記憶媒体に対応して前記読取部で前記情報記憶媒体から前記ログイン情報が読み取れなくなった場合に情報処理装置のログイン状態をログアウトさせる機能を実行し、前記第２種類の情報記憶媒体に対応して前記読取部で前記情報記憶媒体から前記ログイン情報が読み取れなくなった場合でもログアウトさせない機能を実行すること、
を特徴とする請求項３乃至６のいずれか１項に記載の情報処理装置。
【請求項８】
前記読取部で前記情報記憶媒体から前記ログイン情報が読み取れなくなった場合とは、前記読取部で前記情報記憶媒体の前記ログイン情報が取得できなくなって所定時間経過した場合であること
を特徴とする請求項７に記載の情報処理装置。
【請求項９】
情報記憶媒体が計測データを保持する第１種類であるか、計測データを保持しない第２種類であるかを、前記情報記憶媒体が情報処理装置の読取部にかざれることにより前記情報記憶媒体から読み取られた情報に基づき特定する特定ステップと、
前記第１種類の前記情報記憶媒体と前記第２種類の情報記憶媒体が前記読取部にかざされた後に前記第１種類の前記情報記憶媒体と前記第２種類の情報記憶媒体の各々に対応した異なるメニュー画面を表示手段に表示する表示制御ステップと、
を有することを特徴とする情報処理装置の制御方法。
【請求項１０】
情報記憶媒体が計測データを保持する第１種類であるか、計測データを保持しない第２種類であるかを、前記情報記憶媒体が情報処理装置の読取部にかざれることにより前記情報記憶媒体から読み取られた情報に基づき特定する特定手段と、
前記第１種類の前記情報記憶媒体と前記第２種類の情報記憶媒体が前記読取部にかざされた後に前記第１種類の前記情報記憶媒体と前記第２種類の情報記憶媒体の各々に対応した異なるメニュー画面を表示手段に表示する表示制御手段と、
を有することを特徴とする情報処理システム。
【請求項１１】
情報記憶媒体が計測データを保持する第１種類であるか、計測データを保持しない第２種類であるかを、前記情報記憶媒体が情報処理装置の読取部にかざれることにより前記情報記憶媒体から読み取られた情報に基づき特定する特定ステップと、
前記第１種類の前記情報記憶媒体と前記第２種類の情報記憶媒体が前記読取部にかざされた後に前記第１種類の前記情報記憶媒体と前記第２種類の情報記憶媒体の各々に対応した異なるメニュー画面を表示手段に表示する表示制御ステップと、
を有することを特徴とする情報処理システムの制御方法。
【請求項１２】
コンピュータを請求項１乃至８のいずれか１項に記載の情報処理装置の各手段として機能させるためのプログラム。
【請求項１３】
コンピュータを請求項１０に記載の情報処理システムの各手段として機能させるためのプログラム。
【手続補正２】
【補正対象書類名】明細書
【補正対象項目名】００１０
【補正方法】変更
【補正の内容】
【００１０】
本発明の情報処理装置は、情報記憶媒体が計測データを保持する第１種類であるか、計測データを保持しない第２種類であるかを、前記情報記憶媒体が情報処理装置の読取部にかざれることにより前記情報記憶媒体から読み取られた情報に基づき特定する特定手段と、前記第１種類の前記情報記憶媒体と前記第２種類の情報記憶媒体が前記読取部にかざされた後に前記第１種類の前記情報記憶媒体と前記第２種類の情報記憶媒体の各々に対応した異なるメニュー画面を表示手段に表示する表示制御手段と、を有することを特徴とする。
また、本発明の情報処理装置の制御方法は、情報記憶媒体が計測データを保持する第１種類であるか、計測データを保持しない第２種類であるかを、前記情報記憶媒体が情報処理装置の読取部にかざれることにより前記情報記憶媒体から読み取られた情報に基づき特定する特定ステップと、前記第１種類の前記情報記憶媒体と前記第２種類の情報記憶媒体が前記読取部にかざされた後に前記第１種類の前記情報記憶媒体と前記第２種類の情報記憶媒体の各々に対応した異なるメニュー画面を表示手段に表示する表示制御ステップと、を有することを特徴とする。
また、本発明の情報処理システムは、情報記憶媒体が計測データを保持する第１種類であるか、計測データを保持しない第２種類であるかを、前記情報記憶媒体が情報処理装置の読取部にかざれることにより前記情報記憶媒体から読み取られた情報に基づき特定する特定手段と、前記第１種類の前記情報記憶媒体と前記第２種類の情報記憶媒体が前記読取部にかざされた後に前記第１種類の前記情報記憶媒体と前記第２種類の情報記憶媒体の各々に対応した異なるメニュー画面を表示手段に表示する表示制御手段と、を有することを特徴とする。
また、本発明の情報処理システムの制御方法は、情報記憶媒体が計測データを保持する第１種類であるか、計測データを保持しない第２種類であるかを、前記情報記憶媒体が情報処理装置の読取部にかざれることにより前記情報記憶媒体から読み取られた情報に基づき特定する特定ステップと、
前記第１種類の前記情報記憶媒体と前記第２種類の情報記憶媒体が前記読取部にかざされた後に前記第１種類の前記情報記憶媒体と前記第２種類の情報記憶媒体の各々に対応した異なるメニュー画面を表示手段に表示する表示制御ステップと、を有することを特徴とする。
【手続補正３】
【補正対象書類名】明細書
【補正対象項目名】００１１
【補正方法】変更
【補正の内容】
【００１１】
本発明によれば、情報処理装置の読取部にかざす情報記憶媒体の種類に応じて、ユーザに情報処理装置に適切な画面を表示することができる。